(57)【要約】【課題】  用紙本体の尽絶が近いことを作業者に対して適切に認識させることができるプロッタ用紙を提供すること。【解決手段】  円筒芯１１の外周面に複数枚の粘着テープ１２により長尺帯状の用紙本体１３がその一端において止着されている。用紙本体１３の表面側の一側縁における止着側の端部には、エンドマーク１４が付されている。用紙本体１３の尽絶間近になると、エンドマーク１４が出現し、尽絶間近であることが作業者に知らされる。【選択図】      図２
0003106266.tif 000002
【実用新案登録請求の範囲】
【請求項１】
円筒芯の外周に対して用紙本体の一端を止着して、その用紙本体を円筒芯の外周に巻回したプロッタ用紙において、
前記用紙本体の円筒芯側の端部にエンドマークを設けたことを特徴とするプロッタ用紙。
【請求項２】
前記エンドマークを用紙本体の表側に記したことを特徴とする請求項１に記載のプロッタ用紙。
【請求項３】
前記エンドマークを用紙本体の幅端に設けたことを特徴とする請求項１または２に記載のプロッタ用紙。
【請求項４】
用紙本体は円筒芯に粘着テープにより止着されたことを特徴とする請求項１〜請求項３のうちのいずれか一項に記載のプロッタ用紙。
【請求項５】
エンドマークは、用紙本体の止着側端部全体に、所定長さにわたって、描画に影響を与えない薄い色を付して構成したものであることを特徴とした請求項１〜請求項４のうちのいずれか一項に記載のプロッタ用紙。
【考案の詳細な説明】
【技術分野】
【０００１】
この考案は、プロッタ用紙に関するものであって、例えば、洋服用型紙等として使用されるプロッタ用紙に関する。
【背景技術】
【０００２】
この種のプロッタ用紙として、実用新案登録文献１に記載されたものがある。
一般にプロッタ用紙は、紙管よりなる円筒芯に用紙本体が巻回されて構成されている。そして、使用時には、プロッタ用紙は、前記円筒芯において、プロッタの用紙支持軸に装着される。この状態で、ペンが一方向に往復移動されるとともに、用紙本体が引き出されたり、引き込まれたりして、用紙本体上に所要の図形、文字、記号等が描画される。
【特許文献１】特開２００３−３２０６３３
【考案の開示】
【考案が解決しようとする課題】
【０００３】
このようなプロッタ用紙の使用において、用紙本体を使用し尽くす（以下、尽絶という）と、プロッタを停止して、用紙を交換する必要がある。この場合、用紙本体が尽絶された後、プロッタの動作が停止されると、はじめて用紙本体の尽絶を知ることが多く、このような場合には、用紙本体が尽絶してから、その用紙の取り外し、新たなプロッタ用紙の用意がなされ、そして、新たなプロッタ用紙の装着が実行される。このように、用紙本体の尽絶を知ってから、用紙交換が行われるため、新たな用紙の用意等に手間取り、その交換作業に時間がかかるものであった。また、プロッタとして、用紙本体の尽絶が近いことを報知する機能を有するものもあるが、作業者が注意をはらっているのは、描画される部分であって、プロッタそのものには、あまり注意をはらっていない。従って、プロッタに前記機能が備えられていたとしても、作業者は前記報知に気がつかないことが多く、作業効率の向上にはあまり役に立たないことが多い。
【０００４】
一方、用紙本体は円筒芯に対してビニールテープ等の粘着テープにより固定されていることが多い。そして、作業者が用紙本体の尽絶に気がつかず、プロッタの稼働を継続すると、用紙本体が最後まで引き出されて、前記粘着テープが露出し、その粘着テープが剥がれて、プロッタの内部に紛れ込み、プロッタの機能に悪影響を与えるおそれがあった。
【０００５】
この考案は、前記のような問題点を解消するためになされたものである。その目的は、用紙本体の尽絶が近いことを作業者に対して適切に認識させることができるプロッタ用紙を提供することにある。
【課題を解決するための手段】
【０００６】
以上の目的を達成するために、請求項１に記載の考案においては、円筒芯の外周に対して用紙本体の一端を止着して、その用紙本体を円筒芯の外周に巻回したプロッタ用紙において、前記用紙本体の円筒芯側の端部にエンドマークを設けたことを特徴とする。
【０００７】
請求項２に記載の考案においては、請求項１に記載の考案において、前記エンドマークを用紙本体の表側に記したことを特徴とする。
請求項３に記載の考案においては、請求項１または２に記載の考案において、前記エンドマークを用紙本体の幅端に設けたことを特徴とする。
【０００８】
請求項４に記載の考案においては、請求項１〜請求項３のうちのいずれか一項に記載の考案において、用紙本体は円筒芯に粘着テープにより止着されたことを特徴とする。
請求項５に記載の考案においては、請求項１〜請求項４のうちのいずれか一項に記載のエンドマークは、用紙本体の止着側端部全体に、所定長さにわたって、描画に影響を与えない薄い色を付して構成したものであることを特徴とした。
【考案の効果】
【０００９】
この考案によれば、エンドマークにより、用紙本体の尽絶が近いことを作業者に対して適切に認識させることができることができて、作業効率を向上させることができる。
【考案を実施するための最良の形態】
【００１０】
以下、この考案を具体化した一実施形態を図面にしたがって説明する。
図１及び図２に示すように、紙管よりなる円筒芯１１の外周面には、複数枚の粘着テープ１２により長尺帯状の用紙本体１３がその一端において止着されている。そして、この用紙本体１３は円筒芯１１の外周に緊密に巻回されている。
【００１１】
用紙本体１３の表面側、すなわち描画面側の幅端における止着側の端部には、その止着端から所定長さにわたって、赤、緑、黒等の目立つ色に着色されるとともに、用紙本体１３の長さ方向に延びるエンドマーク１４が付されている。このエンドマーク１４が付された幅端は、描画領域を外れた余白領域であるため、実際の描画には何ら問題はない。また、エンドマーク１４の長さは、１ｍ〜５ｍ程度が実用的である。
【００１２】
そして、このようなプロッタ用紙においては、用紙本体１３の尽絶間近になると、エンドマーク１４が出現し、尽絶間近であることが作業者に知らされる。
従って、この実施形態においては、以下のような効果がある。
【００１３】
・  用紙本体１３の尽絶間近になると、エンドマーク１４が出現するため、作業者は、たとえ、プロッタに尽絶の事前報知機能が備えられていなくても、プロッタの停止に先だって尽絶間近であることを知ることができる。従って、作業者は、尽絶に至るまでの時間を利用して、次の新たなプロッタ用紙を用意して、尽絶になると同時に新旧交換することができる。よって、その交換を能率良く、短時間で行うことができる。
【００１４】
・  また、作業者は用紙本体１３の尽絶を事前に認識できる。従って、尽絶に気がつかず、用紙本体１３を止着している粘着テープ１２剥がれて、その粘着テープ１２がプロッタの内部に紛れ込むようなことを未然に防ぐことが可能になる。よって、プロッタの機能に不具合が生じることを防止できる。
【００１５】
・  エンドマーク１４が、描画が行われる表面側に設けられているため、そのエンドマーク１４を的確に認識できる。
・  エンドマーク１４が、描画領域から外れた余白領域に設けられているため、たとえ、黒色のような色の濃いエンドマーク１４を設けていても、描画の邪魔になることはない。むしろ、濃い色のエンドマーク１４を邪魔にならずに設けることができるため、エンドマーク１４を誤ることなく認識できる。
【００１６】
なお、この考案は、前記実施形態に限定されるものではなく、以下のような態様で具体化することもできる。
・  エンドマーク１４を用紙本体１３の両側縁に設けること。
【００１７】
・  図３に示すように、エンドマーク１４として、用紙本体１３の止着側端部全体に、所定長さにわたって、描画に影響を与えない薄い色を付して構成すること。
・  図４に示すように、エンドマーク１４の色を、その長さ方向において、複数段階に変更し、止着端部側に至るほど用紙交換の緊急性を促すようにすること。たとえば、用紙本体１３の止着部から遠い部分を青とし、止着部に近接する部分を赤とすること。
【図面の簡単な説明】
【００１８】
【図１】実施形態のプロッタ用紙を示す側面図。
【図２】同じく一部斜視図。
【図３】変形例を示す一部斜視図。
【図４】別の変形例を示す一部斜視図。
【符号の説明】
【００１９】
１１…円筒芯、１３…用紙本体、１４…エンドマーク
【図１】
0003106266.tif 000003
【図２】
0003106266.tif 000004
【図３】
0003106266.tif 000005
【図４】
0003106266.tif 000006